(57)【要約】【課題】万が一口に入れても無害であり、臭いも無く、手への非付着性，伸展性，保形性，作業性，造形性等の物性にも優れた粘土組成物を提供すること。【解決手段】（Ａ）食品添加物規格の、ポリブテン及び／又はポリイソブチレン，（Ｂ）食品添加物規格の、グリセリン脂肪酸エステル類及び／又はソルビタン脂肪酸エステル類，及び（Ｃ）食品添加物規格の充填材を含有する粘土組成物，更に（Ｄ）食品添加物規格の石油系ワックス及び／又は食用加工油脂を含有する当該粘土組成物，（Ｃ）充填材が、タルク，炭酸カルシウム，粉末セルロースから選択される１種以上である当該粘土組成物，（Ｃ）の充填材が、タルク及び粉末セルロースを含有するものである当該粘土組成物，更に（Ｅ）食品添加物規格の、グリセリン及び／又はプロピレングリコールを含有する当該粘土組成物である。【選択図】なし【特許請求の範囲】
【請求項１】
（Ａ）食品添加物規格の、ポリブテン及び／又はポリイソブチレン，（Ｂ）食品添加物規格の、グリセリン脂肪酸エステル類及び／又はソルビタン脂肪酸エステル類，及び（Ｃ）食品添加物規格の充填材を含有することを特徴とする粘土組成物。
【請求項２】
更に（Ｄ）食品添加物規格の石油系ワックス及び／又は食用加工油脂を含有することを特徴とする、請求項１記載の粘土組成物。
【請求項３】
（Ｃ）の充填材が、タルク，炭酸カルシウム，粉末セルロースから選択される１種以上であることを特徴とする、請求項１又は２記載の粘土組成物。
【請求項４】
（Ｃ）の充填材が、タルク及び粉末セルロースを含有するものであることを特徴とする、請求項３記載の粘土組成物。
【請求項５】
更に（Ｅ）食品添加物規格の、グリセリン及び／又はプロピレングリコールを含有することを特徴とする、請求項１乃至４のいずれかに記載の粘土組成物。
【発明の詳細な説明】
【０００１】
【発明が属する技術分野】
本発明は、学校教育及び社会教育において手工芸材として使用される粘土組成物に関するものであって、より詳しくは、口に入れても安全な、粘土組成物に関するものである。
【０００２】
【従来の技術】
従来、扱い易さ等を強調した粘土組成物として、小麦粉や紙、あるいは空球樹脂や空球ガラスが用いられており、その他の粘土成分として、化学合成粘結剤や、防かび剤や殺菌剤等の保存剤等が用いられている。ところが、小麦粘土の場合には、穀物特有の異臭を発生し、幼児に嫌われるほか、空球樹脂や空球ガラスは安全性の点で問題があり、その他の化学合成粘結剤や、防かび剤や殺菌剤等の保存剤等は、幼児，学童等が誤って口に入れた場合に健康的にも衛生的にも、決して好ましくないという問題がある。更にこれらは、長期間使用し続けると、保存剤等のため、手が荒れるなど、肌の弱い幼児には特に好ましくない影響を及ぼすおそれが大きい。
【０００３】
一方、防かび剤や殺菌剤等の保存剤を含まない粘土組成物としては、従来、油粘土がある。しかしながら、これは主成分が石油系の鉱油であったり、石油系の廃油重合物であったりするため、誤って口に入れても、安心なものとは言い難い。また、鉱油には、手荒れの原因となる可能性があり、その特有の臭いも、嫌われる要素となっている。
【０００４】
これらの好ましくない物質を用いない、口に入れても安全な粘土を製造するにあたって、単純な発想としては、粘土組成物同様の粘弾性を有するチューインガム原料の転用も考えられる。しかしながら、チューインガムは、唾液によって初めて可塑化するものであるため、当業界では、一般に転用不可能であると考えられてきた。過去に、ガム成分にα化澱粉類を配合して可塑化した工作用粘土組成物も、提案されてはいるが（例えば、特許文献１参照）、これは、防腐剤を要する澱粉と、多量の水を含有しており、また造形後一昼夜で硬化してしまうものであり、繰り返し使用ができるタイプのものでは無かった（公報第３頁第右欄等参照）。
【０００５】
このように、従来の粘土組成物は、安全性、衛生性等に問題があるかもしくは、粘土組成物としての物性のいずれかを犠牲にするものであって、安全性，衛生性と、粘土要求特性の全てを満足するものが得られないというのが、現状であった。
【０００６】
【特許文献１】
特開平５−１４２９９０号公報　（第２−３頁）
【０００７】
【発明が解決しようとする課題】
従って、本発明の目的とするところは、万が一口に入れても殆ど害が無く、同時に、手への非付着性、伸展性、保形性、作業性、造形性等の物性にも優れ、臭いも無く、工作課程、工作後も硬化することなく、繰り返し使用可能な、粘土組成物を提供するにある。
【０００８】
【課題を解決するための手段】
【０００９】
上述の目的は、（Ａ）食品添加物規格の、ポリブテン及び／又はポリイソブチレン，（Ｂ）食品添加物規格の、グリセリン脂肪酸エステル類及び／又はソルビタン脂肪酸エステル類，及び（Ｃ）食品添加物規格の充填材を含有することを特徴とする粘土組成物，更に（Ｄ）食品添加物規格の石油系ワックス及び／又は食用加工油脂を含有することを特徴とする当該粘土組成物，（Ｃ）の充填材が、タルク，炭酸カルシウム，粉末セルロースから選択される１種以上である当該粘土組成物，（Ｃ）の充填材が、タルク及び粉末セルロースを含有するものであることを特徴とする当該粘土組成物，更に（Ｅ）食品添加物規格の、グリセリン及び／又はプロピレングリコールを含有することを特徴とする当該粘土組成物によって達成される。
【００１０】
【発明の実施の形態】
本発明で（Ａ）として用いられる食品添加物規格のポリブテンとは、イソブチレンを主成分とし、少量のブテン−１，ブタン等の混合物をモノマーとした重合物であり、市販のものを入手して用いることができる。
【００１１】
本発明で（Ａ）として用いられる食品添加物規格のポリイソブチレンとは、イソブチレンをモノマーとした重合物であるが、重合成分として、イソプレンを２％まで含むことがあるが、これらは市販のものを入手して用いることができる。
【００１２】
（Ａ）食品添加物規格のポリブテンの平均分子量は、５００〜５，５００が好ましく、更に好ましくは１，０００〜５，０００、特に好ましくは１，４００〜１，６００である。又、食品添加物規格のポリイソブチレンの平均分子量は、３７，０００〜５００，０００が好ましく、更に好ましくは４，４０００〜５６，０００である。また、（Ａ）成分全体としての平均分子量は、８，０００〜３８，０００が好ましく、更に好ましくは、１１，０００〜３０，０００である。このような分子量とし、粘土組成物全体の物性を向上させるためにも、ポリブテンとポリイソブチレンを適宜併用することが好ましい。
【００１３】
（Ａ）食品添加物規格のポリブテン及び／又はポリイソブチレンは、本発明の粘土組成物の、ベース成分となる。
【００１４】
本発明の粘土組成物における、（Ａ）ポリブテン及び／又はポリイソブチレンの含有量は、特に限定されるものではないが、粘土組成物全体を１００とした場合に、（Ａ）の合計量として、１〜４０質量％であることが好ましく、更に好ましくは、２〜３２質量％，特に好ましくは５〜２８質量％である。
【００１５】
本発明で（Ｂ）として用いられる食品添加物規格のグリセリン脂肪酸エステル類とは、グリセリン又はポリグリセリンと、脂肪酸とのエステル，及びその誘導体であり、市販のものを入手して用いることができる。例えば、グリセリン脂肪酸エステル，グリセリン酢酸脂肪酸エステル，グリセリン乳酸脂肪酸エステル，グリセリンクエン酸脂肪酸エステル，グリセリンコハク酸脂肪酸エステル，グリセリンジアセチル酒石酸脂肪酸エステル，グリセリン酢酸エステル，ポリグリセリン脂肪酸エステル，及びポリグリセリン縮合リシノール酸エステル等が挙げられる。
【００１６】
（Ｂ）グリセリン脂肪酸エステル類の脂肪酸とは、炭素数２〜２２の脂肪酸が好ましく、中でも、炭素数１８のオレイン酸が特に好ましい。
【００１７】
本発明で（Ｂ）として用いられる食品添加物規格のソルビタン脂肪酸エステル類とは、ソルビタンと脂肪酸とのエステル，及びその誘導体であり、市販のものを入手して用いることができる。
【００１８】
（Ｂ）ソルビタン脂肪酸エステル類の脂肪酸とは、炭素数８〜２２の脂肪酸が好ましく、中でも、炭素数１６のパルミチン酸が特に好ましい。
【００１９】
（Ｂ）グリセリン脂肪酸エステル類及び／又はソルビタン脂肪酸エステル類は、粘土組成物の、材料組成物同士の馴染みを良くして混合性を改善する、混溶剤としての働きのほか、粘土組成物のべたべた感を防止し（泣き止め）、また、滑りを良くする滑剤としての働きも有している。粘土組成物のこれらの物性全般のためには、グリセリン脂肪酸エステル類を用いることが好ましい。また、軽量化のために、（Ｃ）の充填材として粉末セルロースを用いた場合には、粘土組成物の組織を平滑にし、柔軟性を保持するために、ソルビタン脂肪酸エステル類を用いることが好ましい。従って、粘土組成物の上記物性の全てと、粉末セルロースによる軽量化効果の両方を発揮するためには、グリセリン脂肪酸エステル類とソルビタン脂肪酸エステル類を併用することが好ましい。
【００２０】
本発明の粘土組成物における、（Ｂ）グリセリン脂肪酸エステル類及び／又はソルビタン脂肪酸エステル類の含有量は、特に限定されるものではないが、粘土組成物全体を１００とした場合に、（Ｂ）の合計量として、０．２〜４０質量％であることが好ましく、更に好ましくは、５〜２０質量％，特に好ましくは、８〜１３質量％である。尚、軽量化のために、（Ｃ）の充填材として粉末セルロースを用いた場合には、上述の通り、グリセリン脂肪酸エステル類とソルビタン脂肪酸エステル類を併用することが好ましいが、その際の、ソルビタン脂肪酸エステル類の含有量は、粘土組成物全体を１００とした場合に、１〜４質量％であることが好ましく、更に好ましくは、１．３〜３．５質量％である。
【００２１】
本発明で（Ｃ）として用いられる食品添加物規格の充填材としては、タルク，炭酸カルシウム，粉末セルロース等が挙げられ、これらは、市販のものを入手して用いることができる。中でも、食品添加物規格のタルクが最も好ましい。しかし、軽量化を重要視する用途においては、食品添加物規格の粉末セルロース等の軽量充填材を用いることが好ましい。従って、タルクと粉末セルロースを併用することが、手への非付着性，保形性，作業性，造形性が著しく改善され、更に軽量化も図れるため、粘土組成物としての完成度が非常に高まるため、特に好ましい。
【００２２】
本発明における粉末セルロースには、粉末パルプとして含有されるものも含まれるが、夾雑物によるごわごわ感が少なく、かつ滑らかな手触り感を求めるという点から、粉末セルロース比率が９０質量％以上に精製されたものが好ましく、また、３００メッシュ〜６００メッシュパスのものが好ましい。
【００２３】
（Ｃ）食品添加物規格の充填材は、粘土組成物の増量材として用いられるが、粘土組成物のべたべた感を防止し（泣き止め）、手につかないようにするという効果も有している。
【００２４】
本発明の粘土組成物における、（Ｃ）充填材の含有量は、特に限定されるものではないが、粘土組成物全体を１００とした場合に、おおよそ２０〜８０質量％である。充填材としては、タルクが最も好ましいため、この含有量のうち、主なものは、タルクの含有量となるが、軽量化を重要視する用途においては、粉末セルロース等の軽量充填材の含有比率を上げることが好ましく、例えば、粉末セルロースの含有量は、粘土組成物全体を１００とした場合に、おおよそ１５〜４０質量％が好ましく、更に好ましくは２５〜３５質量％である。
【００２５】
本発明で（Ｄ）として用いられる食品添加物規格の石油系ワックスとしては、パラフィンワックスやマイクロクリスタリンワックス等が挙げられるが、柔らかく、扱い易い点から、パラフィンワックスやマイクロクリスタリンワックス等が好ましい。これらは、市販のものを入手して用いることができる。また、本発明で（Ｄ）として用いられる食用加工油脂とは、食用植物油脂や食用動物油脂に水素添加し、硬化させた硬化油脂等である。食用植物油脂としては、綿実油，落花生油，大豆油，ひまわり油，菜種油，ごま油，サフラワー油，オリーブ油，コーン油，ヤシ油，パーム核油，パーム油，バパス核油等が挙げられる。食用動物油脂としては、魚油，鯨油，牛脂，ラード等の動物油脂等が挙げられる。これらは、市販のものを入手して用いることができる。
【００２６】
パラフィンワックスとは、別名パラフィンとも言い、原油を減圧蒸留して得られる潤滑油分画より、冷時プロパンで脱レキし、脱ロウし、脱油し、分離精製するほか、熱時エチルメチルケトンで処理し、溶剤を除去するなどして得ることができる。主成分は、炭素数２０〜４０の、炭化水素である。
【００２７】
食品添加物規格の、マイクロクリスタリンワックスとは、ミクロクリスタリンワックスとも言い、原油の減圧蒸留残渣油を、冷時プロパンで脱レキし、脱ロウし、脱油し、分離精製するほか、室温時エチルメチルケトン若しくはアセトンで精製する、あるいは熱時フルフラールで処理後、フルフラールを除去し、精製するなどして得ることができる。主成分は、炭素数３０〜６０の、分岐炭化水素である。通常は、ガムベースとして、主に光沢剤等の用途に用いられるが、本発明においては、粘土組成物の硬さを調整することができる。
【００２８】
パラフィンワックスやマイクロクリスタリンワックスの融点は、４０〜９８℃が好ましい。特に、融点８０〜９０℃のマイクロクリスタリンワックスが、適度の保形性を有し、長期の保存安定性に優れるため好ましい。
【００２９】
本発明の粘土組成物における、（Ｄ）食品添加物規格の石油系ワックス及び／又は食用加工油の含有量は、特に限定されるものではないが、粘土組成物全体を１００とした場合に、（Ｄ）の合計量として、０．１〜２０質量％であることが好ましく、更に好ましくは、０．５〜１５質量％，特に好ましくは、０．７〜１０質量％である。（Ｄ）を添加することによって、粘土組成物の、手への非付着性、作業性を、更に高めることができる。
【００３０】
本発明で（Ｅ）成分として用いられる、食品添加物規格のグリセリンとは、公知の化合物で、市販のものを入手して用いることができる。
【００３１】
本発明で（Ｅ）成分として用いられる、食品添加物規格のプロピレングリコールとは、公知の化合物で、市販のものを入手して用いることができる。
【００３２】
（Ｅ）食品添加物規格の、グリセリン及び／又はプロピレングリコールは、（Ｃ）の充填材として、多量の粉末セルロースを用いた場合の、粘土組成物の組織を平滑にし、柔軟性を保持することができる。
【００３３】
本発明の粘土組成物における、（Ｅ）食品添加物規格の、グリセリン及び／又はプロピレングリコールの含有量は、特に限定されるものではないが、粘土組成物全体を１００とした場合に、（Ｅ）の合計量として、１２〜２２質量％であることが好ましく、更に好ましくは、１４〜１８質量％である。
【００３４】
尚、粘土として要求される、「手への非付着性」，「伸展性」，「保形性」，「作業性」，「臭い」，「造形性」の全ての特性を満足するためには、（Ａ），（Ｂ）の含有比率が、（Ａ）：（Ｂ）＝１００：１００〜１００：２であることが好ましく、更に好ましくは、（Ａ）：（Ｂ）＝１００：８０〜１００：１０，特に好ましくは、（Ａ）：（Ｂ）＝１００：６０〜１００：２０である。また、更に（Ｄ）を加えた場合には、（Ａ），（Ｂ），（Ｄ）の含有比率が、（Ａ）：（Ｂ）：（Ｄ）＝１００：１００：１００〜１００：２：１であることが好ましく、更に好ましくは、（Ａ）：（Ｂ）：（Ｄ）＝１００：８０：８０〜１００：１０：１，特に好ましくは、（Ａ）：（Ｂ）：（Ｄ）＝１００：６０：６０〜１００：２０：１である。
【００３５】
また、軽量化のために、（Ｃ）の充填材として粉末セルロースを用いた場合には、少なくとも、（Ｂ）の一部としてソルビタン脂肪酸エステル類を用い、更に（Ｅ）の食品添加物規格の、グリセリン及び／又はプロピレングリコールを用いることが好ましいが、その際の含有比率は、（Ｃ）粉末セルロース：（Ｂ）ソルビタン脂肪酸エステル類：（Ｅ）食品添加物規格の、グリセリン及び／又はプロピレングリコール＝１００：２０：７０〜１００：５：４０が好ましく、更に好ましくは、（Ｃ）粉末セルロース：（Ｂ）ソルビタン脂肪酸エステル類：（Ｅ）食品添加物規格の、グリセリン及び／又はプロピレングリコール＝１００：１５：６５〜１００：７：５５である。
【００３６】
本発明の粘土組成物には、他の充填剤，防腐剤，色素，ｐＨ調整剤等を含有させることができるが、誤って口に入れた際の安全性の点から、全ての成分を、食品に添加することが認められている成分とすることが好ましい。
【００３７】
尚、本発明において、食品添加物規格とは、我が国の食品衛生法に基づく規格である。
【００３８】
【実施例】
以下に、本発明の実施例を示すが、それに先だって、粘土組成物の物性評価方法を記載する。
【００３９】
〈粘土組成物の物性評価方法〉
各試料について、１０人の被験者が、「手への非付着性」，「伸展性」，「保形性」，「作業性」，「臭い」，「造形性」についてそれぞれ評価し、良好（又は、臭い無し）と答えた人数によって、下記の基準に基づいて、判定する。
尚、「手への非付着性」とは、使用時に、手にべたべたつかないこと、「伸展性」とは、粘土組成物を千切る際に、適度に伸びること、「保形性」とは、保存時，あるいは造形時，造形後の組成物の形態が安定していること、「作業性」とは、動物や花の形に型抜きをする場合の、型離れのし易さ、型に付着残りがないこと、「臭い」とは、鉱油臭等のほか、異臭がないこと、「造形性」とは、粘土組成物の形状の変更が容易であることを意味する。
【００４０】
良好と答えた人数が、９〜１０人・・・・５点
良好と答えた人数が、６〜８人・・・・・４点
良好と答えた人数が、４〜５人・・・・・３点
良好と答えた人数が、２〜３人・・・・・２点
良好と答えた人数が、０〜１人・・・・・１点
【００４１】
実施例１
下記の表１に示した組成比で、食品添加物規格の平均分子量２３，０００の（Ａ）（平均分子量１，５００のポリブテンと平均分子量４４，５００のポリイソブチレンの１；１混合物）、（Ｂ）食品添加物規格のグリセリンオレイン酸エステルを、９８℃で３０分間、加熱混練し、これに（Ｃ）食品添加物規格の、タルク，炭酸カルシウム，粉末セルロース等を加え、更に９０℃で３０分間混練した後に、直ちに加熱を止め、３０℃まで自然放冷した。
【００４２】
表２から分かる通り、得られた粘土組成物は、手への付着やべたつきもなく、伸展性，保形性のいずれも良好で、手触りが良く、作業性，造形性も良かった。この粘土組成物は、４０℃で１００日間保存後も、異臭や品質劣化がなく、更に、造形後室温下６０日たっても、塑性を有し、繰り返し使用に耐えるものであった。
【００４３】
実施例２〜３
下記の表１に示した組成比で、食品添加物規格の平均分子量２３，０００の（Ａ）（平均分子量１，５００のポリブテンと平均分子量４４，５００のポリイソブチレンの１；１混合物）、（Ｄ）食品添加物規格の融点８５℃のマイクロクリスタリンワックス，（Ｂ）グリセリンオレイン酸エステルを、９８℃で３０分間、加熱混練し、これに（Ｃ）食品添加物規格のタルク，炭酸カルシウム，粉末セルロース等を加え、更に９０℃で３０分間混練した後に、直ちに加熱を止め、３０℃まで自然放冷した。
【００４４】
表２から分かる通り、得られた粘土組成物は、手への付着やべたつきもなく、伸展性，保形性のいずれも良好で、手触りが良く、作業性，造形性も良かった。実施例２は、（Ｄ）のマイクロクリスタリンワックスを使用したため、実施例１に比べて、更に手への付着が抑えられ、また作業性も向上した。また、（Ｃ）の充填材として、タルクと粉末セルロースを併用した実施例２は、タルク単独使用の実施例３と比較して、手への非付着性が更に改善され、保形性，作業性，造形性に優れることが分かった。また、これらの粘土組成物は、４０℃で１００日間保存後も、異臭や品質劣化がなく、更に、造形後室温下６０日たっても、塑性を有し、繰り返し使用に耐えるものであった。また、（Ｃ）として、粉末セルロースを含有する実施例１，２は、比重が軽い粘土組成物であった。
【００４５】
実施例４
下記の表１に示した組成比で、食品添加物規格の平均分子量２３，０００の（Ａ）（平均分子量１，５００のポリブテンと平均分子量４４，５００のポリイソブチレンの１；１混合物）、（Ｂ）食品添加物規格のグリセリンオレイン酸エステル及び、食品添加物規格のソルビタンパルミチン酸エステルを、９８℃で３０分間、加熱混練し、これに（Ｃ）食品添加物規格の、タルク，粉末セルロースを加え、更に９０℃で３０分間混練した。その後、（Ｅ）食品添加物規格のグリセリンを添加し、９０℃で２０分間混練した後に、直ちに加熱を止め、３０℃まで自然放冷した。
【００４６】
表２から分かる通り、得られた粘土組成物は、手への付着やべたつきもなく、伸展性，保形性のいずれも良好で、手触りが良く、作業性，造形性も良かった。この粘土組成物は、４０℃で１００日間保存後も、異臭や品質劣化がなく、更に、造形後室温下６０日たっても、塑性を有し、繰り返し使用に耐えるものであった。また、（Ｃ）の粉末セルロースの含有比率を高めたため、実施例１，２よりも、更に比重が軽い粘土組成物であった。
【００４７】
比較例１
下記の表１に示した組成比で、食品添加物規格の分子量２３，０００の（Ａ）（平均分子量１，５００のポリブテンと平均分子量４４，５００のポリイソブチレンの１；１混合物）のポリブテン，天然チクルを、１００℃で４０分間、加熱混練し、これにポリ酢酸ビニール樹脂を加え、９０℃になったところで、３０分間混練し、これに（Ｃ）の充填材として、食品添加物規格のタルクを加え、更に３０分間混練した後に、直ちに加熱を止め、４０℃まで自然放冷した。その後、再度４０分間混練して、粘土組成物を調製した。
【００４８】
表２から分かる通り、得られた粘土組成物は、チューインガムベースの組成の一種であるが、手への付着が強く認められ、伸展性が著しく悪く、すなわち、手触り，保形性，作業性，造形性において、十分ではなかった。
【００４９】
比較例２
下記の表１に示した組成比で、鉱油，及び（Ｂ）のグリセリンオレイン酸エステルを、６０℃で３０分間混練し、これに、オレイン酸ナトリウム石鹸の粉末を加え、加熱混練し、１２０℃に達したら直ちに加熱を止め、室温まで自然放冷し、グリース状物質を調製した。次いで、（Ｃ）の炭酸カルシウム，クレーを混合した後に、３０分間混練して、いわゆる従来からある油粘土を調製した。
【００５０】
表２から分かる通り、得られた油粘土は、手への付着が著しく、伸展性はややあるものの、保形性において十分ではなく、また、油粘土特有の鉱油臭が著しかった。
【００５１】
【表１】
2004102163.tif 000002
【００５２】
【表２】
2004102163.tif 000003
【００５３】
実施例５
食品添加物規格の平均分子量２３，０００の（Ａ）（平均分子量１，５００のポリブテンと平均分子量４４，５００のポリイソブチレンの１；１混合物）１６０ｇ（１３．９質量％）、（Ｂ）食品添加物規格のグリセリンオレイン酸エステル５６ｇ（４．９質量％）及び、食品添加物規格のソルビタンパルミチン酸エステル３６ｇ（３．１質量％），（Ｄ）食品添加物規格の融点８５℃のマイクロクリスタリンワックス２６ｇ（２．３質量％）を、９８℃で３０分間、加熱混練し、これに（Ｃ）食品添加物規格のタルク３８４ｇ（３３．４質量％），食品添加物規格の粉末セルロース３１４ｇ（２７．３質量％）を加え、更に９０℃で３０分間混練した。その後、（Ｅ）食品添加物規格のプロピレングリコールを１７４ｇ（１５．１質量％）添加し、９０℃で２０分間混練した後に、直ちに加熱を止め、３０℃まで自然放冷した。
【００５４】
得られた粘土組成物は、実施例４に、更に（Ｄ）のマイクロクリスタリンワックスが加わったため、手への付着・べたつきや作業性が、更に改善されていた。また、実施例４に比べると、（Ｅ）成分の比率が少ないため、（Ｃ）の粉末セルロースのごわごわ感がやや残り、実施例４に比べると手触りが劣るものであったが、実用上は問題が無かった。また、伸展性，保形性は、いずれも実施例４同様に良好で、造形性も良かった。この粘土組成物は、４０℃で１００日間保存後も、異臭や品質劣化がなく、更に、造形後室温下６０日たっても、塑性を有し、繰り返し使用に耐えるものであった。　また、（Ｃ）の粉末セルロースの含有比率が高いため、実施例４と同様、実施例１，２よりも、０．７と比重が軽い粘土組成物であった。
【００５５】
【発明の効果】
本発明の粘土組成物は、粘土として要求される、手への非付着性，伸展性，保形性，作業性，造形性に優れているだけでなく、鉱油臭のようなあぶら臭もなく、何より、主成分が食品添加物規格に則っているものであるため、誤って口に入れた場合の、安全性に優れるものである。また、長期間保存しても、異臭や品質劣化が無く、乾燥固化することもなく、カビや雑菌の発生もなく、保存安定性にも優れており、真に、安心，安全な粘土組成物である。そして、工作課程，工作後も硬化することなく、繰り返し使用可能である。更に、粉末セルロースを使用した場合には、軽量化も達成できる。